(57)【要約】【課題】予約の内容と予約で記録されたデータの内容を容易に把握可能で、予約名やファイル名の修正・変更を容易に行うことが可能な放送受信記録装置、方法及びプログラムを提供する。【解決手段】放送受信記録装置１０は、予約情報と、予約識別情報と、を対応付けて記憶する予約ＤＢ１６２と、予約情報に従って予約された放送を受信する放送受信部１１０と、制御部１５０と、を備える。制御部１５０は、受信された放送のデータを、対応する予約識別情報を含む記憶識別情報を付して音声ファイル記憶部１６３に記憶する。また、制御部１５０は、音声ファイル記憶部１６３に記憶されている放送のデータの記憶識別情報を編集する。更に、制御部１５０は、記憶識別情報に含まれている予約識別情報が編集されたときに、予約ＤＢ１６２に記憶されている予約識別情報を編集後の内容に修正する。【選択図】図１
2011254264.tif 000002
【特許請求の範囲】
【請求項１】
放送を受信するための予約情報と該予約情報を識別する予約識別情報とを対応付けて記憶する予約記憶部と、
前記予約情報に従って放送を受信する受信部と、
前記受信部によって受信されたデータに記憶識別情報を付し、受信の契機となった予約識別情報と関連付けて記憶部に記録する受信データ記録部と、
前記記憶部に記録されているデータの記憶識別情報を編集する編集部と、
前記記憶部に記録されているデータの記憶識別情報が前記編集部によって編集された場合、前記予約記憶部に記憶されている対応する予約識別情報を、前記編集後の記憶識別情報に基づいて、修正する予約識別情報修正部と、
を備えたことを特徴とする放送受信記録装置。
【請求項２】
前記受信データ記録部は、前記記憶識別情報に予約識別情報を特定する情報を含め、
前記予約識別情報修正部は、前記記憶部に記録されているデータの記憶識別情報が編集されたときに、修正前の記憶識別情報から、対応する予約識別情報を特定し、特定した予約識別情報を、編集後の記憶識別情報に基づいて修正する、
ことを特徴とする請求項１に記載の放送受信記録装置。
【請求項３】
前記受信データ記録部は、前記記憶部に記録するデータの記憶識別情報と予約識別情報とを対応付けるデータベースを備え、
前記予約識別情報修正部は、前記記憶部に記録されているデータの記憶識別情報が編集されたときに、前記データベースを参照して、対応する予約識別情報を特定し、特定した予約識別情報を、編集後の記憶識別情報に基づいて修正する、
ことを特徴とする請求項１又は２に記載の放送受信記録装置。
【請求項４】
前記記憶識別情報は、前記データを格納するファイルのファイル名であり、
前記予約識別情報修正部は、ファイル名が前記編集部により編集された場合に、該ファイルを格納するフォルダのフォルダ名を前記編集後のファイル名に基づいて修正するフォルダ名修正部を含む、ことを特徴とする請求項１乃至３のいずれか１項に記載の放送受信記録装置。
【請求項５】
前記記憶識別情報は、前記データを格納するフォルダのフォルダ名であり、
前記予約識別情報修正部は、フォルダ名が編集された場合に、該フォルダに格納されているファイルの名称を、編集後のフォルダ名に基づいて修正するファイル名修正部を含む、
ことを特徴とする請求項１乃至４のいずれか１項に記載の放送受信記録装置。
【請求項６】
前記受信データ記録部は、受信されたデータに記憶識別情報を付す際に、予約識別情報に対応する記憶識別情報を付す、
ことを特徴とする請求項１乃至５のいずれか１項に記載の放送受信記録装置。
【請求項７】
放送を受信するための予約情報と予約識別情報とを登録し、
前記予約情報に従って放送を受信し、
受信したデータに識別情報を付して記憶し、
記憶されているデータの識別情報を編集したときに、該データを記憶する契機となった予約を特定し、対応する予約識別情報を、編集された識別情報に基づいて修正する、
ことを特徴とする放送受信記録方法。
【請求項８】
放送受信記録装置を制御するコンピュータに、
放送を受信するための予約情報と、該予約情報を識別する予約識別情報と、を対応付けて記憶するステップと、
前記予約情報に従って、予約された放送を受信するステップと、
前記予約情報に従って受信された放送のデータを、対応する予約識別情報を含む記憶識別情報を付して記憶するステップと、
前記記憶されているデータの記憶識別情報を編集するステップと、
前記記憶識別情報に含まれている予約識別情報が前記編集されたときに、前記記憶されている予約識別情報を編集後の内容に修正するステップと、
を実行させることを特徴とするプログラム。
【発明の詳細な説明】
【技術分野】
【０００１】
本発明は、放送受信記録装置、放送受信記録方法及びプログラムに関する。
【背景技術】
【０００２】
テレビ放送を受信して録画するレコーダには、ＥＰＧ（Electronic Program Guide）を利用して録画の予約をすることができるものが存在する（例えば、特許文献１を参照）。
【０００３】
この種のレコーダでは、予約した放送を識別する予約識別情報としてＥＰＧから取得した番組名が使用される。また、予約で録画された放送の映像・音声を示す放送データのファイル名としてもＥＰＧから取得した番組名が使用される。このため、予約の内容と録画された放送データの内容をファイル名から容易に把握することができる。
【先行技術文献】
【特許文献】
【０００４】
【特許文献１】特開２００７−０７４４９７号公報
【発明の概要】
【発明が解決しようとする課題】
【０００５】
一方、ラジオ放送を録音する場合等には、ＥＰＧを利用することができない。このため、変調方式（ＡＭ，ＦＭ等）、周波数、日時、時間帯などで、予約内容を特定する必要があり、予約識別情報も、通常、これらの情報の組み合わせとなる。このため、予約識別情報から予約内容を把握することが容易ではない。また、予約して録音したファイルにも同様の名称が付されるため、内容の把握が同様に困難である。
【０００６】
また、録音後、ファイルの名称を把握しやすい番組名等に修正する場合、ファイルを個別に指定して、ファイル名を修正・変更しなければならない。さらに、録音ファイルのファイル名を訂正しただけでは、予約識別情報は修正・変更されない。このため、予約識別情報を同様に訂正したい場合には、ファイルとは別個に、予約識別情報を理解しやすいものに修正・変更しなければならない。
【０００７】
このように、従来のレコーダでは、予約の内容と予約で録音されたデータの内容を容易に把握することができないという問題があった。
また、従来のレコーダでは、予約識別情報と録音ファイルの名称の修正が容易ではないという問題があった。
【０００８】
同様の問題は、ラジオ放送を受信・録音する場合に限らず、ＥＰＧ等の放送番組情報を使わないで、有線・無線による任意の放送を予約して記録する場合に広く存在する。
【０００９】
本発明は、上記実情に鑑みてなされたものであり、予約の内容と予約で記録されたデータの内容を容易に把握することができる放送受信記録装置、方法及びプログラムを提供することを目的とする。
また、本発明は、予約名やファイル名の修正・変更を容易に行うことが可能な放送受信記録装置、方法及びプログラムを提供することを他の目的とする。
【課題を解決するための手段】
【００１０】
上記目的を達成するため、本発明の第１の観点に係る放送受信記録装置は、
放送を受信するための予約情報と該予約情報を識別する予約識別情報とを対応付けて記憶する予約記憶部と、
前記予約情報に従って放送を受信する受信部と、
前記受信部によって受信されたデータに記憶識別情報を付し、受信の契機となった予約識別情報と関連付けて記憶部に記録する受信データ記録部と、
前記記憶部に記録されているデータの記憶識別情報を編集する編集部と、
前記記憶部に記録されているデータの記憶識別情報が前記編集部によって編集された場合、前記予約記憶部に記憶されている対応する予約識別情報を、前記編集後の記憶識別情報に基づいて、修正する予約識別情報修正部と、
を備えたことを特徴とする。
【００１１】
例えば、前記受信データ記録部は、前記記憶識別情報に予約識別情報を特定する情報を含め、
前記予約識別情報修正部は、前記記憶部に記録されているデータの記憶識別情報が編集されたときに、修正前の記憶識別情報から、対応する予約識別情報を特定し、特定した予約識別情報を、編集後の記憶識別情報に基づいて修正する。
【００１２】
例えば、前記受信データ記録部は、前記記憶部に記録するデータの記憶識別情報と予約識別情報とを対応付けるデータベースを備え、
前記予約識別情報修正部は、前記記憶部に記録されているデータの記憶識別情報が編集されたときに、前記データベースを参照して、対応する予約識別情報を特定し、特定した予約識別情報を、編集後の記憶識別情報に基づいて修正する。
【００１３】
例えば、前記記憶識別情報は、前記データを格納するファイルのファイル名であり、
前記予約識別情報修正部は、ファイル名が前記編集部により編集された場合に、該ファイルを格納するフォルダのフォルダ名を前記編集後のファイル名に基づいて修正するフォルダ名修正部を含む。
【００１４】
例えば、前記記憶識別情報は、前記データを格納するフォルダのフォルダ名であり、
前記予約識別情報修正部は、フォルダ名が編集された場合に、該フォルダに格納されているファイルの名称を、編集後のフォルダ名に基づいて修正するファイル名修正部を含む。
【００１５】
例えば、前記受信データ記録部は、受信されたデータに記憶識別情報を付す際に、予約識別情報に対応する記憶識別情報を付す。
【００１６】
上記目的を達成するため、本発明の第２の観点に係る放送受信記録方法は、
放送を受信するための予約情報と予約識別情報とを登録し、
前記予約情報に従って放送を受信し、
受信したデータに識別情報を付して記憶し、
記憶されているデータの識別情報を編集したときに、該データを記憶する契機となった予約を特定し、対応する予約識別情報を、編集された識別情報に基づいて修正する、
ことを特徴とする。
【００１７】
上記目的を達成するため、本発明の第３の観点に係るプログラムは、
放送受信記録装置を制御するコンピュータに、
放送を受信するための予約情報と、該予約情報を識別する予約識別情報と、を対応付けて記憶するステップと、
前記予約情報に従って、予約された放送を受信するステップと、
前記予約情報に従って受信された放送のデータを、対応する予約識別情報を含む記憶識別情報を付して記憶するステップと、
前記記憶されているデータの記憶識別情報を編集するステップと、
前記記憶識別情報に含まれている予約識別情報が前記編集されたときに、前記記憶されている予約識別情報を編集後の内容に修正するステップと、
を実行させる。
【発明の効果】
【００１８】
本発明によれば、予約の内容と予約で記録された放送データの内容を容易に把握することができる。
また、予約名やファイル名の修正・変更を容易に行うことが可能である。
【図面の簡単な説明】
【００１９】
【図１】本願発明の実施形態に係る放送受信記録装置の構成を示すブロック図である。
【図２】予約データベースの構成を示す図である。
【図３】放送受信記録装置が実行する予約処理を説明するためのフローチャートである。
【図４】予約画面の例を示す図である。
【図５】放送受信記録装置が実行する録音開始処理を説明するためのフローチャートである。
【図６】放送受信記録装置が実行する録音終了処理を説明するためのフローチャートである。
【図７】予約一覧画面の例を示す図である。
【図８】放送受信記録装置が実行する録音一覧表示処理を説明するためのフローチャートである。
【図９】録音一覧画面の例を示す図である。
【図１０】（ａ）は、録音一覧画面において、フォルダを指定して、プルダウンメニューを表示する例を説明するための図である。（ｂ）は、録音一覧画面において、音声ファイルを指定して、プルダウンメニューを表示する例を説明するための図である。
【図１１】録音一覧画面において、フォルダを指定して、プルダウンメニューから「展開」を選択した後の、録音一覧画面を説明するための図である。
【図１２】放送受信記録装置が実行するファイル名等修正処理を説明するためのフローチャートである。
【図１３】図１２に示すフローチャートに続くフローチャートである。
【図１４】修正画面の例を示す図である。
【図１５】ファイル名等修正処理を実行した後の、予約データベースを説明するための図である。
【図１６】第２の実施の形態で使用する音声ファイルデータベースの構成を示すための図である。
【図１７】第２の実施の形態において、放送受信記録装置が実行する録音開始処理を説明するためのフローチャートである。
【図１８】第２の実施形態に係る放送受信記録装置が実行する録音一覧表示処理を説明するためのフローチャートである。
【図１９】第２の実施の形態において、放送受信記録装置が実行するファイル名等修正処理を説明するためのフローチャートである。
【発明を実施するための形態】
【００２０】
（実施形態１）
本発明の実施形態に係る放送受信記録装置１０と該放送受信記録装置１０が実行する放送受信記憶方法を、以下図面を参照して説明する。
【００２１】
放送受信記録装置１０は、例えばラジオ放送やテレビ放送を受信して記録し、再生する装置であり、ここでは一例としてラジオ放送を受信して記録する例について説明する。放送受信記録装置１０は、図１に示すように、放送受信部１１０と、操作部１２０と、表示部１３０と、音声出力部１４０と、制御部１５０と、記憶部１６０と、を備える。
【００２２】
放送受信部１１０は、例えば、アンテナ、チューナ、デコーダ、Ａ／Ｄ（アナログ／デジタル）変換器などから構成される。チューナはアンテナを介して受信した放送信号から所望する周波数の信号を抽出し、抽出した信号をデコーダに出力する。デコーダはチューナによって出力された信号を復号化する。Ａ／Ｄ変換器は、復号化されたアナログ信号をデジタルデータに変換して制御部１５０に出力する。
【００２３】
操作部１２０は、例えば、キーボード、マウスなどから構成され、ユーザからの操作指示に応じた信号を制御部１５０に送信する。
【００２４】
表示部１３０は、例えば、液晶ディスプレイ装置などから構成され、制御部１５０の制御に従って、様々な情報を表示する。また、表示部１３０は放送受信記録装置１０とは別個の装置として放送受信記録装置に接続されていてもよい。
【００２５】
音声出力部１４０は、例えば、Ｄ／Ａ（デジタル／アナログ）変換器、アンプ、スピーカなどから構成される。Ｄ／Ａ変換器は、制御部１５０から供給されたデジタルデータをアナログ信号に変換して出力する。アンプは、Ｄ／Ａ変換器からのアナログ信号を増幅し、スピーカに出力する。スピーカは、アンプによって増幅された信号を音声として出力する。
【００２６】
制御部１５０は、例えば、メモリ内蔵型のワンチッププロセッサなどから構成され、プログラム記憶部１６１に記憶されたプログラムに従って、放送受信記録装置１０の各部を制御する。また、制御部１５０は、タイマ１５１を内蔵する。
また、制御部１５０は、後述する音声ファイル記憶部１６３に記憶された音声ファイルをデータベース管理することによって、フォルダ構造やディレクトリ構造に音声ファイルが属しているような形式として各種処理を行う。
【００２７】
記憶部１６０は、例えば、磁気ディスク、半導体メモリなどから構成され、プログラム記憶部１６１、予約ＤＢ（データベース）１６２、音声ファイル記憶部１６３、などを備えている。
【００２８】
プログラム記憶部１６１は、制御部１５０が実行するプログラムなどを記憶する。
【００２９】
予約ＤＢ１６２は、予約記憶部として図２に示すように、予約内容を特定する予約情報と、予約を識別するための予約識別情報と、を対応付けて記憶する。
予約情報は、予約した番組を受信して録音するための情報であり、受信日を特定する予約日情報と、予約した番組の受信及び録音開始時刻を示す開始時刻情報と、予約した番組の受信及び録音終了時刻を示す終了時刻情報と、予約した番組を受信する変調方式・周波数を特定する周波数情報と、を含む。
予約日としては、周期的な日を特定することも、特定の１又は複数の日を特定することも可能である。例えば、毎週月曜日に録音することを示す「毎月曜日」、毎週火曜日に録音することを示す「毎火曜日」、・・・、毎日録音することを示す「毎日」、毎月１５日に録音すること示す「毎月１５日」、特定の日付などがある。
【００３０】
音声ファイル記憶部１６３は、録音した番組の音声ファイルを記憶する。
【００３１】
次に、本実施形態の放送受信記録装置１０の動作を説明する。
放送受信記録装置１０は、一般的な放送受信記録装置と同様に、番組の録音を予約し、予約に従って番組を録音し、さらに、録音した音声ファイルに種々の操作が可能である。
【００３２】
以下、本実施形態の放送受信記録装置１０の動作を、一例としてラジオ放送の番組に対して、（１）番組の録音を予約する処理、（２）予約された番組を録音する処理、（３）予約の一覧を表示する処理、（４）録音フォルダ及び録音ファイルの一覧を表示する処理、（５）録音フォルダ又は録音ファイルへの操作、に分けて説明する。
【００３３】
（１）番組の録音を予約する処理
任意の放送の録音を予約する処理を図３を参照して説明する。
ユーザは、ラジオ放送の録音を予約したい場合、操作部１２０を操作して録音の予約を指示する。この指示に応答して、操作部１２０は、予約指示信号を制御部１５０に送信する。制御部１５０は、予約指示信号に応答して、図３のフローチャートに示す予約処理を開始し、まず、図４に示す予約画面を表示部１３０に表示する（ステップＳ１）。
【００３４】
ユーザは、表示部１３０に表示された予約画面に対して操作部１２０を操作して予約画面のプルダウンメニュー等を操作することにより予約時間帯と周波数情報とを選択し、「確定」ボタンを押下することにより選択した内容で録音することを指示する。操作部１２０は、操作に従った操作信号を制御部１５０に送信する。
制御部１５０は、操作信号から、ユーザの操作内容を判別する（ステップＳ２、ステップＳ５、ステップＳ６）。
【００３５】
制御部１５０は、予約画面上の「確定」ボタンが押下されたと判別した場合（ステップＳ２；Ｙｅｓ）、予約画面で設定された予約日、録音開始時刻、録音終了時刻、受信周波数、を結合して得られるテキストを予約識別情報のデフォルト値として設定する（ステップＳ３）。
次に、制御部１５０は、予約日を示す予約日情報と、録音開始時刻を示す開始時刻情報と、録音終了時刻を示す終了時刻情報と、受信周波数を示す周波数情報と、ステップＳ３で設定された予約識別情報と、を対応付けて予約ＤＢ１６２に追加して記録する（ステップＳ４）。
【００３６】
一方、制御部１５０は、予約画面の「確定」ボタンが押下されないと判別した場合（ステップＳ２；Ｎｏ）、予約画面上の「キャンセル」ボタンが押下されたか否かを判別する（ステップＳ５）。制御部１５０は、「キャンセル」ボタンが押下されていないと判別した場合（ステップＳ５；Ｎｏ）、操作内容に従って予約画面を編集し（ステップＳ６）、ステップＳ１に戻って、編集後の予約画面を表示する。その後、「確定」ボタンが押下されたときに、前述のステップＳ３及びＳ４により、その内容が予約ＤＢ１６２に登録される。
【００３７】
一方、制御部１５０は、ステップＳ５で、予約画面の「キャンセル」ボタンが押下されたと判別した場合（ステップＳ５；Ｙｅｓ）、今回の処理を終了する。
【００３８】
（２）予約された番組を録音する処理
次に、予約された放送を録音する処理を説明する。
録音処理は、図５示す録音開始処理と図６に示す録音終了処理から構成される。
（２−１）
まず、録音開始処理について図５を参照して説明する。
制御部１５０は、放送受信記録装置１０の電源が待機モード若しくは電源投入後のいずれであっても、図５に示す録音開始処理を、例えば、タイマ１５１からの周期的なタイマ割込等により、繰り返して実行する。
制御部１５０は、録音開始処理を開始すると、まず、タイマ１５１から現在日時を取得する（ステップＳ１１）。
制御部１５０は、予約ＤＢ１６２に記憶されている予約日情報と開始時刻情報とを参照し、ステップＳ１１において取得した現在の日時が、予約されている録音の開始日時のいずれかに一致するか否かを判別する（ステップＳ１２）。
制御部１５０は、現在日時が登録されている録音開始日時のいずれにも一致しないと判別した場合（ステップＳ１２；Ｎｏ）、今回の録音開始処理を終了する。
【００３９】
一方、制御部１５０は、現在日時が登録されている録音開始日時のいずれかに一致すると判別した場合（ステップＳ１２；Ｙｅｓ）、予約ＤＢ１６２を参照し、一致すると判別された予約日及び開始時刻に対応する周波数情報を読み出す。制御部１５０は、放送受信部１１０を制御し、読み出した周波数情報で特定される放送を受信させる（ステップＳ１３）。
【００４０】
次に、制御部１５０は、予約ＤＢ１６２を参照し、一致すると判別された予約日時と開始時刻に対応付けられた予約識別情報を、録音された音声ファイル及び音声ファイルを格納するフォルダを識別する記憶識別情報に設定する（ステップＳ１４）。
【００４１】
制御部１５０は、予約日が周期的なものであるか否かを判別する（ステップＳ１５）。具体的には、予約日に「毎」が含まれるか否か判別する。例えば、予約日が「毎月曜日」の場合、制御部１５０は、予約日が周期的なものであると判別する。制御部１５０は、予約日が周期的なものではないと判別した場合（ステップＳ１５；Ｎｏ）、ステップＳ１８に処理を進める。
【００４２】
一方、制御部１５０は、予約日が周期的であると判別した場合（ステップＳ１５；Ｙｅｓ）、ステップＳ１４で設定した記憶識別情報と同一の名称が付されたフォルダが音声ファイル記憶部１６３に存在するか否かを判別する（ステップＳ１６）。
制御部１５０は、記憶識別情報と同一名のフォルダが存在しないと判別した場合（ステップＳ１６；Ｎｏ）、記憶識別情報と同一の名称を有するフォルダを音声ファイル記憶部１６３に作成する（ステップＳ１７）。
【００４３】
制御部１５０は、記憶識別情報と同一名のフォルダが存在すると判別した場合（ステップＳ１６；Ｙｅｓ）、及び、ステップＳ１７で新規にフォルダを作成した後、タイマ１５１からタイムスタンプ（年月日）を取得する（ステップＳ１８）。
制御部１５０は、ステップＳ１８で取得したタイムスタンプとステップＳ１４で設定した記憶識別情報とを連結して得られるテキストを音声ファイルのファイル名に設定する（ステップＳ１９）。
制御部１５０は、放送受信部１１０から提供される音声データを記録する録音処理（別ルーチン）を起動する（ステップＳ２０）。これにより、予約されていた放送の受信及び録音が開始する。
【００４４】
上記の録音開始処理においては、上記に限らず例えばステップＳ１２において、ステップＳ１１において取得した現在の日時が、予約されている録音の開始日時の所定時間前であるか否かを判断するとともに、ステップＳ１８においてタイムスタンプを取得する以前に、現在の日時が予約されている開始日時に一致するか否かを判断させ、一致した場合にステップＳ１８によりタイムスタンプを取得してもよい。これによりステップＳ２０において起動する録音処理に対して、所定時間前より録音処理を待機状態とすることで、タイムラグ無く録音を開始することができる。
以上で、今回の録音開始処理を終了する。
【００４５】
（２−２）予約された番組の録音を終了する処理
次に、放送受信記録装置１０が、予約された録音を終了する処理を、図６を参照して説明する。
この録音終了処理は、予約された録音が開始したことを契機として呼び出される。
制御部１５０は、図６に示す録音終了処理を開始すると、まず、タイマ１５１から現在の時刻を取得する（ステップＳ２１）。制御部１５０は、予約ＤＢ１６２に記憶されている現在録音中の放送の終了時刻情報を参照し、現在の時刻が、録音終了時刻に一致するか否かを判別する（ステップＳ２２）。制御部１５０は、現在の時刻が録音終了時刻でないと判別した場合（ステップＳ２２；Ｎｏ）、ステップＳ２１に処理を戻す。
【００４６】
制御部１５０は、現在の時刻が録音終了時刻に一致すると判別した場合（ステップＳ２２；Ｙｅｓ）、録音を終了させ（ステップＳ２３）、さらに、放送受信部１１０の受信動作を停止させる（ステップＳ２４）、今回の録音終了処理を終了する。
【００４７】
以上の録音開始処理及び録音終了処理により、予約された放送の音声ファイルが順次音声ファイル記憶部１６３に生成される。
【００４８】
（３）予約の一覧を表示する処理
ユーザは、どのような放送の録音が予約されているのか知りたい場合、操作部１２０を操作して、予約の一覧表示を指示する。制御部１５０は、信号に応答して、予約ＤＢ１６２から予約識別情報を読み出し、一覧にして、表示部１３０に表示する。例えば、予約ＤＢ１６２に、図２示すように予約識別情報が登録されている場合には、図７に示す予約一覧画面を作成し、表示部１３０に表示する。
ユーザは、予約一覧を参照して、どのような放送が録音予約されているかを知ることができる。ユーザは、編集ボタンを押して、予約内容を編集することも可能である。
【００４９】
（４）録音フォルダ及び録音ファイルの一覧を表示する処理
次に、上述の予約処理及び録音処理により録音された音声ファイル等を処理する手順について説明する。
【００５０】
音声ファイル記憶部１６３に記憶されている音声ファイルを操作（再生、削除、編集等）する場合、ユーザは、操作部１２０を操作して、音声ファイル記憶部１６３に記憶されているフォルダ及び音声ファイルの一覧を表示することを指示する。
【００５１】
この指示に応答して、操作部１２０は、録音一覧画面表示信号を制御部１５０に送信する。制御部１５０は、録音一覧画面表示信号に応答して、図８のフローチャートに示す録音一覧表示処理を開始し、まず、音声ファイル記憶部１６３に記憶されている音声ファイルのファイル名及び音声ファイルを格納するフォルダのフォルダ名を含むディレクトリ構造を取得する（ステップＳ３１）。
制御部１５０は、取得したディレクトリ構造に基づいて、ルートディレクトリ直下に位置するフォルダ及び音声ファイルの一覧を作成し（ステップＳ３２）、表示部１３０に表示する（ステップＳ３３）。なお、音声ファイルについては、タイムスタンプも併せて表示する。
【００５２】
例えば、予約ＤＢ１６２の内容が図２に示す内容であり、全ての放送の録音が行われていると仮定すると、音声ファイル記憶部１６３には、「毎週金曜日２３：００〜２３：５９ＡＭ１１３６ｋＨｚ」の放送を録音した音声ファイルを格納したフォルダと、「毎週日曜日１４：３０〜１５：３０ＦＭ９９．６ＭＨｚ」の放送を録音した音声ファイルを格納したフォルダと、「毎日１０：００〜１０：３０ＦＭ８３．５ＭＨｚ」の放送を録音した音声ファイルを格納したフォルダと、「２０１０／０５／０１１９：００−１９：５９ＦＭ８９．６ＭＨｚ」の放送を録音した音声ファイルが、ルートディレクトリ直下に形成される。従って、この場合、制御部１５０は、ステップＳ３２で、図９に示す録音一覧画面を生成し（ステップＳ３２）、表示する（ステップＳ３３）。
【００５３】
（５）録音フォルダ又は録音ファイルへの操作
ユーザは、図９に例示する一覧画面を操作し、記録されている録音フォルダ又は録音ファイルへの操作が可能である。
例えば、フォルダが指定（選択）され、マウスやパッドを右クリックされると、制御部１５０は、図１０（ａ）に示すように、展開、削除、修正、転送などの操作を選択するための、プルダウンメニュー３１１を表示する。同様に、音声ファイルが指定（選択）され、マウスやパッドを右クリックされると、制御部１５０は、図１０（ｂ）に示すように、再生、削除、修正、転送などの操作を選択するための、プルダウンメニュー３１２を表示する。
【００５４】
「展開」が選択されると、制御部１５０は、選択されているフォルダに格納されているフォルダ及び音声ファイルのリストを、例えば、図１１に示すように生成し、表示部１３０に表示する。
「削除」が選択されると、制御部１５０は、選択されているフォルダ又は音声ファイルを削除する。
「再生」が選択されると、制御部１５０は、ファイルを再生する。
「修正」が選択されると、制御部１５０は、選択されているフォルダ又は音声ファイルの名称を修正する。なお、「修正」処理の詳細は後述する。
「転送」が選択されると、制御部１５０は、選択されているフォルダ又は音声ファイルを転送する。
【００５５】
本実施形態における修正の処理、即ち、フォルダ又は音声ファイルの名称を変更する処理は、フォルダ名又はファイル名のうちの１つを変更すると、関連するフォルダ名・ファイル名、さらに、予約識別情報を一括して修正するという特徴を有する。以下、操作部１２０および制御部１５０を含む編集部としての修正処理について詳細に説明する。
【００５６】
プルダウンメニュー３１１または３１２上での「修正」の選択に応答して、制御部１５０は、図１２及び図１３に示すファイル名等修正処理を開始し、まず、選択されているフォルダのフォルダ名（＝記憶機器別情報）又は選択されている音声ファイルの名称（＝記憶識別情報＋タイムスタンプ）中の記憶識別情報を抽出して、内部メモリに格納する（ステップＳ４１）。
【００５７】
続いて、制御部１５０は、選択されているフォルダ又は音声ファイルの名称を修正するための、図１４に示すような修正画面を生成し（ステップＳ４２）、表示部１３０に表示する（ステップＳ４３）。この修正画面は、新たなフォルダ名又はファイル名を入力するためのテキストボックス３２１を備える。このテキストボックス３２１には、ステップＳ４１で抽出した記憶識別情報を挿入する。
【００５８】
例えば、図１０（ａ）のフォルダ「毎日曜日 14:30-15:30 FM 99.6MHz」が選択された状態で、プルダウンメニュー３１１上の項目「修正」が選択されたとすると、制御部１５０は、図１４に示すように、修正画面のテキストボックス３２１に、記憶識別情報「毎日曜日 14:30-15:30 FM 99.6MHz」をデフォルト値として挿入して修正画面を生成する。
同様に、例えば、図１０（ｂ）の音声ファイル「毎日曜日 14:30-15:30 FM 99.6MHz  2010/05/01 14:30」が選択された状態で、プルダウンメニュー３１１上の項目「修正」が選択されたとすると、制御部１５０は、図１４に示すように、ファイル名「毎日曜日 14:30-15:30 FM 99.6MHz  2010/05/01 14:30」からタイムスタンプ「2010/05/01 14:30」を除去した記憶識別情報「毎日曜日 14:30-15:30 FM 99.6MHz」を修正画面のテキストボックス３２１に挿入して修正画面を生成する。
【００５９】
ユーザは、操作部１２０を操作して、例えば、このテキストボックス３２１に修正後の任意の記憶識別情報、例えば「ベストヒットＸＸＸ」を入力し、確定ボタンを押下することにより記憶識別情報を修正する旨を指示する。
制御部１５０は、修正画面の確定ボタン３２２が押下されたか否かを判別する（ステップＳ４４）。
【００６０】
制御部１５０は、修正画面の「確定」ボタン３２２が押下されていないと判別した場合（ステップＳ４４；Ｎｏ）、「キャンセル」ボタン３２３が押下されたか否かを判別する（ステップＳ４５）。制御部１５０は、修正画面の「キャンセル」ボタン３２３が押下されていないと判別した場合（ステップＳ４５；Ｎｏ）、操作部１２０の操作に応じて、テキストボックス３２１内の情報を編集し（ステップＳ４６）、ステップＳ４３に戻り、テキストボックス３２１を編集した後の修正画面を表示する。
一方、制御部１５０は、修正画面上の「キャンセル」ボタン３２３が押下されたと判別した場合（ステップＳ４５；Ｙｅｓ）、今回の修正処理を終了する。
【００６１】
制御部１５０は、予約識別情報修正部（フォルダ名修正部、ファイル名修正部）として、修正画面上の「確定」ボタン３２２が押下されたと判別した場合（ステップＳ４４；Ｙｅｓ）、修正画面のテキストボックス３２１に入力されたテキスト、例えば、「ベストヒットＸＸＸ」を内部メモリに記憶する（ステップＳ４７）。
【００６２】
次に、制御部１５０は、音声ファイル記憶部１６３に記憶されている音声ファイル又はフォルダの名称のうち、内部メモリに記憶されている修正前の記憶識別情報と同一のテキスト列を含むファイル名又はフォルダ名を検索する（ステップＳ４８）。制御部１５０は、検索された音声ファイル名又はフォルダ名の、修正前記憶識別情報に一致する部分を修正後の記憶識別情報に置換することにより、ファイル名又はフォルダ名を変更する（ステップＳ４９）。
【００６３】
上述の例で考えると、制御部１５０は、音声ファイル記憶部１６３に記憶されている音声ファイル及びフォルダのうち、「毎日曜日 14:30-15:30 FM 99.6MHz」という名称が付されたフォルダのフォルダ名を「ベストヒットＸＸＸ」に変更する。
また、このフォルダに格納されている、例えば、「毎日曜日 14:30-15:30 FM 99.6MHz 2010/05/02 15:30.mp3」という音声ファイルのファイル名のうちの修正前記憶識別情報「毎日曜日 14:30-15:30 FM 99.6MHz」を修正後の記憶識別情報「ベストヒットＸＸＸ」に修正する。これにより、ファイル名は、「ベストヒットＸＸＸ 2010/05/02 15:30.mp3」に変更される。
【００６４】
続いて、制御部１５０は、予約ＤＢ１６２に記憶されている予約識別情報のうちから、メモリに記憶されている修正前の記憶識別情報と同一のものを検索する（ステップＳ５０）。制御部１５０は、検索した予約識別情報を修正された記憶識別情報に変更する（ステップＳ５１）。これにより、音声ファイル記憶部１６３に記憶された音声ファイルのファイル名又は音声ファイルを格納するフォルダのフォルダ名と、予約ＤＢ１６２に記憶された予約識別情報と、が同一の名称を含むように一括して修正される。
【００６５】
例えば、上述した例のように、記憶識別情報「毎日曜日 14:30-15:30 FM 99.6MHz」を「ベストヒットＸＸＸ」に訂正した場合、修正前の記憶識別情報と同一の予約識別情報「毎日曜日 14:30-15:30 FM 99.6MHz」が検索され、「ベストヒットＸＸＸ」に訂正される。このため、予約ＤＢ１６２は、図２から図１５の状態に変更される。
続いて、制御部１５０は、画面を更新し、記憶識別情報の変更を表示に反映させる。（ステップＳ５２）。
【００６６】
その後、今回の修正処理を終了する。
【００６７】
以上、説明したように、放送受信記録装置１０は、音声ファイルのファイル名又は音声ファイルを格納するフォルダのフォルダ名を修正したときに、予約ＤＢ１６２に記憶された予約識別情報も併せて修正する。このため、例えば、ユーザが、音声ファイルのファイル名又は音声ファイルを格納するフォルダのフォルダ名を分かりやすい名称に修正すると、この番組を録音する予約の予約識別情報も同時に分かりやすい名称に修正される。従って、ユーザは、予約の内容と予約で録音された番組の音声ファイルの内容を容易に把握することができる。
【００６８】
また、ユーザは、音声ファイル記憶部１６３に記憶された音声ファイルのファイル名又は音声ファイルを格納するフォルダのフォルダ名と、予約ＤＢ１６２に記憶された予約識別情報と、を個別に修正する必要がない。従って、音声ファイルのファイル名又は音声ファイルを格納するフォルダのフォルダ名を修正し、かつ、予約識別情報を修正する際のユーザの負担が軽減される。
即ち、記憶識別情報を変更することにより、予約識別情報が変更され、識別情報の変更が容易であり、変更後の整合性の確保が容易である。
【００６９】
（実施形態２）
実施形態１では、予約ＤＢに登録されている予約識別情報と同一の記憶識別情報を音声ファイル又はフォルダの名称に含ませることにより、予約識別情報と音声ファイル及びフォルダとを関連付け、音声ファイル・フォルダの名称が変更されたときに、対応する予約識別情報を変更した。この発明はこれに限定されず、予約と音声ファイル及びフォルダとを対応付けることができるならば、予約の識別の手法や音声ファイルの構造、格納方法などは適宜変更可能である。
以下一例として、対応表（音声ファイルＤＢ）を用いて録音予約と音声ファイル及びフォルダとを対応付ける実施形態を説明する。
【００７０】
本実施形態における放送受信記録装置１０の構成は、実施形態１に係る放送受信記録装置１０と基本的に同一である。ただし、記憶部１６０が、音声ファイルＤＢ１６４を１備えている点が異なる。音声ファイルＤＢ１６４は、図１６に示すように、音声ファイルのファイル名と記憶識別情報（＝予約識別情報）とを対応付けるＤＢ（テーブル）である。また、本実施形態では、記憶識別情報と予約識別情報は同一である。
【００７１】
放送受信記録装置１０は、実施形態１と同様に、ユーザからの指示に応答して、放送の受信及び録音を予約する。予約内容は、実施形態１と同様に、表示部１３０に表示される予約一覧画面により、確認することができる。
一方、放送受信記録装置１０は、予約に従って番組を録音する。このとき、放送受信記録装置１０は、録音された番組の音声ファイルのファイル名と、その録音を行う原因となった録音予約の識別情報（予約識別情報）と、を対応付けて音声ファイルＤＢ１６４に記憶する。
録音された放送は、表示部１３０に表示される録音一覧画面により確認することができる。このとき、録音一覧画面には、音声ファイルＤＢ１６４に記憶された予約識別情報が表示される。
また、放送受信記録装置１０は、ユーザの指示に応答して、録音一覧画面で選択された音声ファイルのファイル名に対応付けられた記憶識別情報を変更することができる。
【００７２】
以下、本実施形態の放送受信記録装置１０の動作を、（６）予約された番組の録音を開始する処理、（７）録音された番組の一覧を表示する処理、（８）記憶識別情報を修正する処理、に分けて説明する。
なお、（１）番組の録音を予約する処理、（２−２）予約された番組の録音を終了する処理については、実施形態１と同じである。
【００７３】
（６）予約された番組の録音を開始する処理
放送受信記録装置１０が、予約された番組の録音を開始する録音開始処理を、図１７を参照して説明する。
制御部１５０は、タイマ１５１から現在の日時を取得する（ステップＳ７１）。続いて、制御部１５０は、予約ＤＢ１６２に記憶されている予約日情報と開始時刻情報を参照し、現在の日時が、予約されている放送の受信・録音を開始する日時であるか否かを判別する（ステップＳ７２）。制御部１５０は、現在の日時が開始日時でないと判別した場合（ステップＳ７２；Ｎｏ）、今回の録音開始処理を終了する。
【００７４】
一方、制御部１５０は、現在の日時が録音開始日時に一致すると判別した場合（ステップＳ７２；Ｙｅｓ）、予約ＤＢ１６２を参照し、今回の予約録音の予約識別情報を取得する（ステップＳ７３）。
次に、予約ＤＢ１６２に記憶されている周波数情報を参照し、受信周波数を放送受信部１１０に指示し、該当する放送の受信を開始する（ステップＳ７４）。
次に、制御部１５０は、音声ファイルのファイル名を生成する（ステップＳ７５）。ファイル名の生成方法は任意である。
【００７５】
次に、制御部１５０は、予約日が周期的なものであるか否かを判別する（ステップＳ７６）。制御部１５０は、予約日が周期的なものではないと判別した場合（ステップＳ７６；Ｎｏ）、後述するステップＳ７９に処理を進める。
【００７６】
一方、制御部１５０は、予約日が周期的であると判別した場合（ステップＳ７６；Ｙｅｓ）、ステップＳ７３で取得した予約識別情報に対応するフォルダが音声ファイル記憶部１６３に登録されているか否かを判別する（ステップＳ７７）。制御部１５０は、対応付けられたフォルダが存在しないと判別した場合（ステップＳ７７；Ｎｏ）、任意の名称のフォルダを音声ファイル記憶部１６３に作成する（ステップＳ７８）。さらに、制御部１５０は、作成したフォルダの名称とステップＳ７３で取得した予約識別情報（今回の予約録音の予約識別情報）とを対応付けて音声ファイルＤＢ１６４に登録する（ステップＳ７８）。
【００７７】
制御部１５０は、ステップＳ７７でフォルダが存在すると判別した場合（ステップＳ７７；Ｙｅｓ）、ステップＳ７８でフォルダを作成した後、さらに、ステップＳ７６で予約日が周期的ではないと判別された後、ステップＳ７５で生成したファイル名で音声ファイルを生成し、放送受信部１１０から供給される音声データの録音を開始する（ステップＳ７９）。
制御部１５０は、ステップＳ７９で生成した音声ファイルにタイマ１５１から取得したタイムスタンプを付す（ステップＳ８０）。
制御部１５０は、ステップＳ７３で取得した予約識別情報とステップＳ７４で設定したファイル名とを対応付けて音声ファイルＤＢ１６４に登録する。即ち、予約録音とその予約録音で生成されたファイルとを対応付ける情報を音声ファイルＤＢ１６４に登録する（ステップＳ８１）。
以上で、今回の録音開始処理を終了する。
【００７８】
（７）録音された番組の一覧を表示する処理
次に、放送受信記録装置１０が、録音された番組の一覧を表示する処理を説明する。以下、理解を容易にするため、図２に示す予約ＤＢ１６２に従って、番組の録音がされた場合を例にして説明する。
【００７９】
ユーザは、必要に応じて、操作部１２０を操作して録音された番組の一覧を表示する旨を指示する。この指示に応答して、操作部１２０は当該指示を示す信号を制御部１５０に送信する。
【００８０】
（録音フォルダ及び録音ファイルの一覧を表示する処理）
【００８１】
音声ファイル記憶部１６３に記憶されている音声ファイルの一覧表示が指示された場合、制御部１５０は、図１８のフローチャートに示す録音一覧表示処理を開始し、音声ファイル記憶部１６３に記憶されている音声ファイルのファイル名及び音声ファイルを格納するフォルダのフォルダ名を含むディレクトリ構造を取得する（ステップＳ９１）。
制御部１５０は、取得したディレクトリ構造に基づいて、ルートディレクトリ直下に位置するフォルダ名及び音声ファイル名を取得する（ステップＳ９２）。
制御部１５０は、音声ファイルＤＢ１６４を参照して、各フォルダ名及び音声ファイル名に対応する予約識別情報を特定する（ステップＳ９３）。
制御部１５０は、特定された予約識別情報に基づいて、録音一覧画面を図９に示すように合成する（ステップＳ９４）。この際、音声ファイルについては、タイムスタンプも併せて表示する。
続いて、制御部１５０は、生成した録音一覧画面を表示部１３０に表示する（ステップＳ９５）。
【００８２】
（録音フォルダ又は録音ファイルへの操作）
ユーザは、図９に例示する一覧画面を操作し、記録されているフォルダ又は録音ファイルへの操作が可能である。
例えば、フォルダを指定して、マウスやパッドを右クリックすることにより、図１０（ａ）に示すように、展開、削除、修正、転送などの操作を選択するための、プルダウンメニュー３１１を表示する。同様に、音声ファイルを指定して、マウスやパッドを右クリックすることにより、図１０（ｂ）に示すように、再生、削除、修正、転送などの操作を選択するための、プルダウンメニュー３１２を表示する。
【００８３】
これらの操作に関し、制御部１５０は、フォルダ名やファイル名を表示する場合には、音声ファイルＤＢ１６４を参照し、図１８のステップＳ９３と同様に、フォルダ名を予約識別情報に、ファイル名を予約識別情報とタイムスタンプに変換して表示する。
【００８４】
（８）記憶識別情報を修正する処理
次に、放送受信記録装置１０が、フォルダ名や音声ファイル名を修正する処理を、図１９を参照して説明する。
【００８５】
操作として「修正」が指示されると、制御部１５０は、図１９に示す修正処理を開始し、まず、選択されているフォルダ名又は選択されている音声ファイル名を、内部メモリに格納する（ステップＳ１０１）。
【００８６】
続いて、制御部１５０は、ステップＳ１０２〜ステップＳ１０６で、修正後のフォルダ名又はファイル名を確定し、内部メモリに記憶する。
【００８７】
次に、制御部１５０は、音声ファイルＤＢ１６４に登録されている予約識別情報のうち、ステップＳ１０１で内部メモリに記憶した修正前のフォルダ名又は音声ファイル名と一致するものを検索し、ステップＳ１０６で内部メモリに記憶した修正後の予約識別情報で更新する（ステップＳ１０７）。
さらに、制御部１５０は、予約ＤＢ１６２に登録されている予約識別情報のうち、ステップＳ１０１で内部メモリに記憶した修正前のフォルダ名又は音声ファイル名と一致するものを検索し、ステップＳ１０６で内部メモリに記憶した修正後の予約識別情報に更新する（ステップＳ１０８）。
【００８８】
続いて、制御部１５０は、画面を更新し、記憶識別情報の変更を表示に反映させる。（ステップＳ１０９）。
【００８９】
その後、今回の修正処理を終了する。
【００９０】
以上、説明したように、第２実施形態においても、第１実施形態と同様に、フォルダ名や音声ファイル名が修正されたときに、予約ＤＢ１６２に記憶された予約識別情報も併せて修正される。
しかも、音声ファイル等の実体ファイルに手を加えることなく、ユーザインタフェース上で、変更修正が可能である。
【００９１】
例えば、上記第１の実施の形態では、フォルダ名及びファイル名に予約識別情報を含めることにより、第２の実施の形態では、音声ファイルＤＢ１６４を使用することにより、フォルダ名・ファイル名と予約識別情報とを対応付けたが、フォルダ名又はファイル名が変更されたときに、そのフォルダ又はファイルを作成する契機となった予約録音を特定できるならば、関連付けの手法自体は任意である。
【００９２】
上記説明において、示したハードウェアの構成及び動作のフローチャートは一例でありこれらに限定されるものではなく、適宜変更及び応用が可能である。
【００９３】
第１の実施形態では、予約画面で選択された予約日と、予約画面で選択された開始時刻と、予約画面で選択された終了時刻と、予約画面で選択された周波数と、を結合して得られるテキストを予約識別情報のデフォルト値として設定しているが、他の任意のテキストを設定してもよい。
【００９４】
また、上記の実施形態では、制御部１５０は、フォルダ名・音声ファイル名を修正したときに、予約識別情報を修正したが、予約識別情報を修正したときに、該予約識別情報で特定される予約録音により生成されたフォルダ名やファイル名を特定し、自動的に修正するようにしてもよい。
【００９５】
更に、上記の実施形態では、放送受信部１１０を介してラジオ放送を受信・録音し、フォルダ名・ファイル名の修正に応じて予約識別情報（予約録音名）を修正する例を示したが、受信する放送の種類は任意であり、テレビ放送を受信してもよい。なお、放送受信記録装置１０が、ＮＩＣ（Network Interface Card）等の通信部を備え、インターネットラジオ放送を受信してもよい。
【００９６】
また、上記の実施形態では、制御部１５０は、録音一覧画面にフォルダ名・音声ファイル名のみを表示しているが、録音された番組の音声ファイルの数を記憶識別情報に対応付けて表示してもよい。具体的には、制御部１５０は、音声ファイルＤＢ１６４を参照して、記憶識別情報に対応付けられたファイル名の数、即ち、録音された番組の音声ファイルの数を取得し、この記憶識別情報と、録音された番組の音声ファイルの数と、を対応付けて表示部１３０に表示する。
【００９７】
さらに、上記の実施形態では、フォルダのフォルダ名が修正されたときに、このフォルダに格納された音声ファイルのファイル名を併せて修正しているが、音声ファイルのファイル名を修正しないように構成してもよい。
【００９８】
なお、本発明の放送受信記録装置は、専用の装置を用いる必要はなく、通常のコンピュータにより実現することができる。例えばコンピュータに上記した各処理を実行させるためのプログラム及びデータを記録媒体（ＣＤ−ＲＯＭ等）に記録して配布し、これをインストールしてＯＳ上で実行することにより、本発明の放送受信記録装置を実現できる。また、プログラム及びデータの配布は、ＣＤ−ＲＯＭ等に限らず、通信回線等を介して行われてもよい。
【符号の説明】
【００９９】
１０  放送受信記録装置
１１０  放送受信部
１２０  操作部
１３０  表示部
１４０  音声出力部
１５０  制御部
１６０  記憶部
１６１  プログラム記憶部
１６２  予約ＤＢ
１６３  音声ファイル記憶部
１６４  音声ファイルＤＢ
３１１  プルダウンメニュー
３１２  プルダウンメニュー
３２１  テキストボックス
３２２  確定ボタン
３２３  キャンセルボタン
【図１】
2011254264.tif 000003
【図２】
2011254264.tif 000004
【図３】
2011254264.tif 000005
【図４】
2011254264.tif 000006
【図５】
2011254264.tif 000007
【図６】
2011254264.tif 000008
【図７】
2011254264.tif 000009
【図８】
2011254264.tif 000010
【図９】
2011254264.tif 000011
【図１０】
2011254264.tif 000012
【図１１】
2011254264.tif 000013
【図１２】
2011254264.tif 000014
【図１３】
2011254264.tif 000015
【図１４】
2011254264.tif 000016
【図１５】
2011254264.tif 000017
【図１６】
2011254264.tif 000018
【図１７】
2011254264.tif 000019
【図１８】
2011254264.tif 000020
【図１９】
2011254264.tif 000021